(57)【要約】【課題】クラッチ接続部材の各プレートにかかる押圧力を全周に亘り均一にし、プレートの偏摩耗がなく、小型軽量で伝達効率のよい湿式多板クラッチを得る。【解決手段】図に示す湿式多板クラッチ１０は基本的な構成は周知の構造と同じであって、入力軸２０、入力軸と一体な外周ドラム部２１、内周ハブ３２、出力軸３０、フリクションプレート５０とセパレータプレート６０とからなるクラッチ接続部材、ピストン５０ならびに押圧部材４２等によって構成されている。押圧部材４２の押圧面４３と、押圧面４３と接触するセパレータプレートの受け面６２ならびに外周ドラム部の押圧力受け部２３の受け面２４と、受け面２４と接触するフリクションプレート５０の押圧面５３とはそれぞれ半径方向外方に向かって徐々にせまくなるようなクサビ状の空間を形成している。【選択図】  図１
2006144834.tif 000002
【特許請求の範囲】
【請求項１】
外周ドラム部と、内周ハブと、押圧部材と、外周ドラム部と内周ハブとの間に交互に配設され、押圧部材によって外周ドラム部の受け部に向かって押圧される複数のクラッチ接続部材とからなる湿式多板クラッチにおいて、
上記の外周ドラム部とクラッチ接続部材との押圧接触面同士及びクラッチ接続部材と押圧部材との押圧接触面同士が、非締結時には、半径方向に延びる軸方向断面が、半径方向外方に向かって徐々に狭くなるようなクサビ状となる空間が形成されるように、所定の接触面に予め傾斜を設け、クラッチ締結時には半径方向に垂直に密着するように形成されていることを特徴とする湿式多板クラッチ。
【請求項２】
前記の外周ドラム部の押圧力の受け部の受け面及び前記の押圧部材の押圧面とが、所定の方向に傾斜していることを特徴とする請求項１記載の湿式多板クラッチ。
【請求項３】
前記のクラッチ接続部材の内、外周ドラムの受け面と接触する押圧面、及び押圧部材の押圧面と接触する受け面とが所定の方向に傾斜していることを特徴とする請求項１に記載の湿式多板クラッチ。
【発明の詳細な説明】
【技術分野】
【０００１】
この発明はクラッチ接続部材の受ける押圧力が均一となり、小型軽量で偏摩耗がなく、伝達効率のよい湿式多板クラッチに関する。
【背景技術】
【０００２】
図１はピストン及び押圧部材を用いた湿式多板クラッチの構成を概念的に側断面図で示している。湿式多板クラッチ１０は、入力軸２０、入力軸と一体になっている外周ドラム部２１、内周ハブ３２とスプライン部３１でスプラインかん合している出力軸３０とを備えている。（入力、出力の方向は逆であってもよいことは勿論である。）外周ドラム部２１のスプライン部２２にはフリクションプレート５０がスプラインかん合され、内周ハブ３２の外周スプライン部３３にはセパレータプレート６０がスプラインかん合されている。フリクションプレート５０とセパレータプレート６０とは交互に配設されクラッチ接続部材を構成している。
【０００３】
図の左方にあるピストン機構の機枠４７内にピストン４０が収納され、機枠４７との間に油圧室４１が形成されている。ピストン４０はスラストベアリング７１を介して押圧部材４２を押圧している。後述する如く、押圧部材４２は、フリクションプレート５０と、セパレータプレート６０とからなるクラッチ接続部材を、図の右方にある外周ドラム部２１の押圧力の受け部２３に向けて押圧する。又図において４８は内周ハブ３２と押圧部材４２との間に介在するリターンスプリングである。
【０００４】
クラッチを締結するときは、油圧室４１に油圧を導入し、ピストン４０ならびにスラストベアリング７１を介して押圧部材４２を右方に押圧し、フリクションプレート５０とセパレータプレート６０とからなるクラッチ接続部材を、右方にある外周ドラム部２１の押圧力の受け部２３に向けて押圧する。図示の如くフリクションプレート５０は外周ドラム部２１のスプライン部２２とかん合し、セパレータプレート６０は内周ハブ３２のスプライン部３３とかん合し、さらに内周ハブ３２はスプライン部３１で出力軸３０とスプラインかん合しているので、動力は入力軸２０から出力軸３０に伝達される。
【０００５】
クラッチを解放するときは油圧室４１から油圧を抜けばリターンスプリング４８によって、押圧部材４２ならびにピストン４０は左方に戻り、クラッチ部材の押圧力がなくなるのでクラッチは解放される。
【０００６】
図２は同様な湿式多板クラッチの側断面図であるが、図１に示すクラッチとの相違は、押圧部材４２に該当する別部材はなく、ピストン４０のみが設けられ、ピストン４０の押圧部４６の部分が図１に示すクラッチの押圧部材４２に相当する。その他の部分は図１と構成も符号も同一である。それで今後の説明も押圧部材４２について行うが、押圧部４６についても全く同様である。
【発明の開示】
【発明が解決しようとする課題】
【０００７】
図３ないし図６によって、従来の装置の作用状態について説明する。図３に示す如く押圧部材４２の押圧面４３と相対するセパレータプレート６０の受け面６２とは非締結時には半径方向に垂直になるように形成されている。ところがクラッチ締結時には押圧力の反力で押圧部材４２は図１、図３で反時計方向に撓み、図４の状態となり、押圧部材４２の押圧面４３の外周部４４とセパレータ６０の受け面６２の外周部６３とが離れ、それぞれの内周部４５と６４とは接しているので、押圧接触面である押圧面４３と受け面６２とは半径方向に延びる軸方向断面で半径方向外方に徐々に拡がるクサビ状の空間を形成することとなり、プレート全周に亘り押圧力が不均一となる。なお図において６１はセパレータプレートの内周スプライン歯を示している。
【０００８】
図５は同様に従来の装置の外周ドラム部２１の押圧力受け部２３とフリクションプレート５０との非締結時の状態を示している。受け部２３の受け面２４とフリクションプレート５０の押圧面５３とはクラッチ非締結時には半径方向に垂直になるように形成されている。なお２２は外周ドラム部２１のスプライン部、５１はフリクションプレート５０のスプライン歯、５２は同じく摩擦材をそれぞれ示している。
【０００９】
クラッチ締結時には押圧力により押圧力受け部２３が図１、図５において時計方向に撓むので、図６の状態となり、受け部２３の受け面２４の外周部２５とフリクションプレート５０の押圧面５３の外周部５４とは離れ、それぞれの内周部２６と５５とは接しているので、押圧接触面である受け面２４と押圧面５３とは半径方向に延びる軸方向断面で半径方向外方に徐々に拡がるクサビ状の空間を形成することとなり、プレート全周に亘り押圧力が不均一となる。
【００１０】
図１５はよこ軸Ｘに押圧力、たて軸Ｙに押圧接触面の半径方向の位置をとった線図を示すもので、要部の拡大図である図３ないし図６で説明したように、従来の装置では押圧部材４２と外周ドラム部２１の押圧力受け部２３とが、押圧力により弾性変形を行いそのため前述の如くプレートにかかる押圧力が図１５のｐで示すように不均一となり、プレート全周にかかる応力が一定でないので、プレートの偏摩耗や伝達効率の低下を招くという不具合を免れなかった。
【課題を解決するための手段】
【００１１】
この発明は前記の欠点を解消するために、湿式多板クラッチの外周ドラム部と、クラッチ接続部材と、押圧部材とのそれぞれ押圧接触面同士が、クラッチの非締結時には、半径方向に延びる軸方向断面が、半径方向外方に向かって徐々に狭くなるようなクサビ状となる空間が形成されるように、所定の接触面に予め傾斜を設け、クラッチ締結時には半径方向に垂直に密着するように形成されている湿式多板クラッチを得たものである。
【発明の効果】
【００１２】
クラッチの締結時にクラッチ接続部材であるフリクションプレートとセパレータプレートの全プレートを、その全周面に亘り均一に押圧することができるので、小型軽量で、偏摩耗がなく、伝達効率も良いクラッチを得ることができた。
【発明を実施するための最良の形態】
【００１３】
入力軸と一体の外周ドラム部の押圧力受け体の受け面と、それと接触するクラッチ接続部材のプレートの押圧面との間に、また押圧部材の押圧面と、それと接触するクラッチ接続部材のプレートの受け面との間に、クラッチ非締結時に、半径方向外方に向かって徐々にせまくなるクサビ状空間を形成するために、外周ドラム部の押圧力受け体の受け面及び押圧部材の押圧面とをそれぞれ傾けて形成してもよく、又は上記の受け面及び押圧面と接触するクラッチ接続部材の両端のプレートの接触面をそれぞれ傾けて形成してもよい。
【実施例】
【００１４】
図７ないし図１０はこの発明の第１実施例の要部拡大図を示し、それぞれ前記の図３ないし図６に対応するものであり、同じ符号は同じ部分を表している。図７は押圧部材４２の部分の非締結時の状態を示し、押圧部材４２の押圧面４３は締結時の押圧力の反力による弾性変形を見込んで押圧面４３の内周部４５が相対するセパレータプレート６０の受け面６２の内周部６４から離れるような傾斜を持つように形成されている。それぞれの外周部４４と６３とは接しているので、押圧接触面である押圧面４３と受け面６２とは半径方向外方に向かって徐々にせまくなるクサビ状空間を形成している。
【００１５】
図８は締結時の状態であって、押圧力の反力で押圧部材４２は反時計方向に撓むので押圧面４３は半径方向垂直となり、セパレータプレート６０の受け面６２と全周的に密着するので、押圧力は均一となる。
【００１６】
図９は外周ドラム部２１の受け部２３の部分の非締結時の状態を示し、受け部２３の受け面２４は締結時の押圧力による受け部２３の弾性変形を見込んで受け面２４の内周部２６が相対するフリクションプレート５０の押圧面５３の内周部５５から離れるような傾斜を持つように形成されている。それぞれの外周部２５と５４は接しているので、押圧接触面である受け面２４と押圧面５３とは半径方向外方に向かって徐々にせまくなるクサビ状空間を形成している。
【００１７】
図１０は締結時の状態を示し、押圧力によって受け部２３は時計方向に撓むので、押圧面２４は半径方向垂直となり、フリクションプレート５０の押圧面５３と全周的に密着するので、押圧力は均一となる。
【００１８】
図１１ないし図１４はこの発明の第２実施例を示す図３ないし図６、ならびに図７ないし図１０に相当する図であって、やはり同じ符号は同じ部分を表している。図１１に示す図７に対応する図で説明すれば、この実施例においては、図７に示したものとは逆にセパレータプレート６０の受け面６２は内周部６４が押圧部材４２の押圧面４３の内周部４５から離れるような傾斜を持つように形成されている。それぞれの外周部６３と４４とは接しているので押圧接触面である受け面６２と押圧面４３とは半径方向外方に徐々にせまくなるようなクサビ状の空間を形成する。図１２はクラッチ締結時の状態を示し、押圧力の反力で押圧部材４２は反時計方向に弾性的に撓むので押圧面４３と受け面６２は図示の如く密着し、押圧力は全周に亘り均一となる。
【００１９】
図１３、１４はそれぞれ図９、図１０に対応する図であって、この実施例では図９の場合と逆にフリクションプレート５０の押圧面５３の内周部５５が受け部２３の受け面２４の内周部２６から離れるような傾斜を持っている。それぞれの外周部５４、２５は接しているので、押圧接触面である受け面２４と押圧面５３とは半径方向外方に徐々にせまくなるようなクサビ状の空間を形成している。クラッチ締結時には押圧力によって受け部２３が時計方向に弾性的に撓むので図１４に示すように受け面２４と押圧面５３とは密着し、押圧力は全周に亘り均一となる。
【００２０】
図１６はよこ軸Ｘに押圧力、たて軸Ｙに押圧接触面の半径方向の位置をとって示した線図であって、図７ないし図１４に示したこの発明では、押圧力はｐとして示すようにプレート全周に亘って均一となる。
【００２１】
以上実施例として、受け面側には外周面にスプライン歯を有する片面交互貼りのフリクションプレートと押圧面側には内周面にスプライン歯を有するセパレータプレートとが組み合わされたクラッチについて説明してきたが、湿式多板クラッチにおいて、これ以外のクラッチ接続部材の組み合わせとして、内周面にスプライン歯を有する片面交互貼りのフリクションプレートと外周面にスプライン歯を有するセパレータプレートとの組み合わせ、内周面にスプライン歯を有する両面貼りのフリクションプレートと外周面にスプライン歯を有するセパレータプレートとの組み合わせならびに外周面にスプライン歯を有する両面貼りのフリクションプレートと内周面にスプライン歯を有するセパレータプレートとの組み合わせなどがあるが、何れの場合にもこの発明が適用されるものであることはいうまでもない。
【産業上の利用可能性】
【００２２】
この発明では湿式多板クラッチにおいて、クラッチ接続部材の各プレートの押圧力を全周に亘り均一とすることができるので、偏摩耗のない伝達効率のよいクラッチとなり、材質を薄くすることができ、同じ能力で小型、軽量化が可能である。
【図面の簡単な説明】
【００２３】
【図１】湿式多板クラッチの基本的な構成を示す断面図
【図２】同じく別な型式を示す図１と同様な断面図
【図３】従来の装置の押圧部材とセパレータとの非締結時の状態を示す要部拡大図
【図４】同じく締結時の状態を示す図
【図５】同じく外周ドラム部の受け部とフリクションプレートとの非締結時の状態を示す図
【図６】同じく締結時の状態を示す図
【図７】この発明の第一実施例の図３と同様な図
【図８】同じく図４と同様な図
【図９】同じく図５と同様な図
【図１０】同じく図６と同様な図
【図１１】第二実施例の図３と同様な図
【図１２】同じく図４と同様な図
【図１３】同じく図５と同様な図
【図１４】同じく図６と同様な図
【図１５】従来のクラッチの押圧力の分布を示す線図
【図１６】この発明のクラッチの押圧力の分布を示す線図
【符号の説明】
【００２４】
１０  湿式多板クラッチ
２０  入力軸
２１  外周ドラム部
２２  スプライン部
２３  押圧力の受け部
２４  受け面
２５  受け面の外周部
２６  受け面の内周部
３０  出力軸
３１  スプライン部
３２  内周ハブ
３３  スプライン部
４０  ピストン
４１  油圧室
４２  押圧部材
４３  押圧面
４４  外周部
４５  内周部
４６  ピストンの押圧部
４７  ピストン収納機枠
４８  リターンスプリング
５０  フリクションプレート
５１  スプライン歯
５２  摩擦材
５３  押圧面
５４  外周部
５５  内周部
６０  セパレータプレート
６１  スプライン歯
６２  受け面
６３  外周部
６４  内周部
【図１】
2006144834.tif 000003
【図２】
2006144834.tif 000004
【図３】
2006144834.tif 000005
【図４】
2006144834.tif 000006
【図５】
2006144834.tif 000007
【図６】
2006144834.tif 000008
【図７】
2006144834.tif 000009
【図８】
2006144834.tif 000010
【図９】
2006144834.tif 000011
【図１０】
2006144834.tif 000012
【図１１】
2006144834.tif 000013
【図１２】
2006144834.tif 000014
【図１３】
2006144834.tif 000015
【図１４】
2006144834.tif 000016
【図１５】
2006144834.tif 000017
【図１６】
2006144834.tif 000018